(57)【要約】【課題】モノクロモードで読み取りを行う際の光源から出射される光量を簡便かつ高精度に設定可能な画像読取装置、画像形成装置および画像読取方法を提供する。【解決手段】画像読取装置１０は、赤色光源２１ｒと、緑色光源２１ｇと、青色光源２１ｂと、白基準板５０と、光量調整部４０と、光検出部２７と、信号処理部３１とを備える。光量調整部４０は、カラーモードで読み取りを行う際の赤色、緑色および青色光源２１ｒ、２１ｇ、２１ｂの点灯期間と、カラーモードで読み取りを行う際の赤色、緑色および青色光源２１ｒ、２１ｇ、２１ｂのそれぞれの点灯期間で白基準板５０を照射した際の光検出部２７の検出結果とに基づいて、モノクロモードで読み取りを行う際の赤色、緑色および青色光源２１ｒ、２１ｇ、２１ｂの点灯期間を設定する。【選択図】図１
2014192699.tif 000002
【特許請求の範囲】
【請求項１】
カラーモードおよびモノクロモードを切り換えて読み取りを行う画像読取装置であって、
赤色光を出射する赤色光源と、
緑色光を出射する緑色光源と、
青色光を出射する青色光源と、
白基準板と、
前記赤色光源、前記緑色光源および前記青色光源からそれぞれ出射される前記赤色光、前記緑色光および前記青色光の光量を調整する光量調整部と、
前記赤色光源、前記緑色光源および前記青色光源のそれぞれから出射された前記赤色光、前記緑色光および前記青色光を検出する光検出部と
を備え、
前記光量調整部は、前記カラーモードで読み取りを行う際の前記赤色光源、前記緑色光源および前記青色光源の点灯期間と、前記カラーモードで読み取りを行う際の前記赤色光源、前記緑色光源および前記青色光源のそれぞれの前記点灯期間で前記白基準板を照射した際の前記光検出部の検出結果とに基づいて、前記モノクロモードで前記読み取りを行う際の前記赤色光源、前記緑色光源および前記青色光源の点灯期間を設定する、画像読取装置。
【請求項２】
前記光量調整部は、前記カラーモードで読み取りを行う際の前記赤色光源、前記緑色光源および前記青色光源の点灯期間と、前記光検出部の前記検出結果と、予め定められた黒基準の値とに基づいて、前記モノクロモードで前記読み取りを行う際の前記赤色光源、前記緑色光源および前記青色光源の点灯期間を設定する、請求項１に記載の画像読取装置。
【請求項３】
前記光量調整部は、前記カラーモードで読み取りを行う際の前記赤色光源、前記緑色光源および前記青色光源の点灯期間と、前記光検出信号の前記検出結果と、前記光検出部によって黒基準を検出した検出結果とに基づいて、前記モノクロモードで前記読み取りを行う際の前記赤色光源、前記緑色光源および前記青色光源の点灯期間を設定する、請求項１に記載の画像読取装置。
【請求項４】
黒基準板をさらに備え、
前記赤色光源、前記緑色光源および前記青色光源は、前記黒基準を検出する際に、前記赤色光、前記緑色光および前記青色光をそれぞれ前記黒基準板に出射する、請求項３に記載の画像読取装置。
【請求項５】
前記赤色光源、前記緑色光源および前記青色光源は、前記黒基準を検出する際に、それぞれ消灯する、請求項３に記載の画像読取装置。
【請求項６】
前記光検出部は光検出信号を生成し、
前記画像読取装置は、前記光検出信号に信号処理を行う信号処理部をさらに備える、請求項１から５のいずれかに記載の画像読取装置。
【請求項７】
前記光検出部は、前記光検出信号としてアナログ信号を生成し、
前記信号処理部は、
前記アナログ信号をデジタル信号に変換するアナログフロントエンドと、
前記デジタル信号に対して信号処理する画像処理部と
を有する、請求項６に記載の画像読取装置。
【請求項８】
前記赤色光源、前記緑色光源および前記青色光源は、前記モノクロモードにおいて、それぞれ同時に、前記赤色光、前記緑色光および前記青色光を出射する、請求項１から７のいずれかに記載の画像読取装置。
【請求項９】
前記赤色光源、前記緑色光源および前記青色光源は、前記モノクロモードにおいて、それぞれ異なるタイミングで、前記赤色光、前記緑色光および前記青色光を出射する、請求項１から７のいずれかに記載の画像読取装置。
【請求項１０】
前記光量調整部は、前記モノクロモードにおいて、前記赤色光源、前記緑色光源および前記青色光源の設定された点灯期間、および、前記赤色光源、前記緑色光源および前記青色光源の点灯待機期間に基づいて、前記赤色光源、前記緑色光源および前記青色光源の前記点灯期間を再設定する、請求項８に記載の画像読取装置。
【請求項１１】
請求項１から１０のいずれかに記載の画像読取装置と、
前記画像読取装置の読み取り結果に基づいて画像を形成する画像形成部と
を備える、画像形成装置。
【請求項１２】
カラーモードおよびモノクロモードを切り換えて読み取りを行う画像読取方法であって、
赤色光源、緑色光源および青色光源が、それぞれ異なる時刻に、赤色光、緑色光および青色光で白基準板を照射することによって、前記カラーモードで読み取りを行う際の前記赤色光源、前記緑色光源および前記青色光源の点灯期間を決定する工程と、
前記カラーモードで読み取りを行う際に決定された前記赤色光源、前記緑色光源および前記青色光源の点灯期間と、前記カラーモードで読み取りを行う際の前記赤色光源、前記緑色光源および前記青色光源のそれぞれの前記点灯期間で前記白基準板を照射した際の光検出部の検出結果とに基づいて、前記モノクロモードで読み取りを行う際の前記赤色光源、前記緑色光源および前記青色光源の点灯期間を設定する工程と
を包含する、画像読取方法。
【発明の詳細な説明】
【技術分野】
【０００１】
本発明は、画像読取装置、画像形成装置および画像読取方法に関する。
【背景技術】
【０００２】
画像読取装置は、スキャナとしてだけでなく、複合機などの画像形成装置、複写機またはＦＡＸ装置の一部品としても利用される。画像読取装置は、光源から出射され、原稿において反射された光を光検出器で検出することによって原稿画像の読み取りを行う。
【０００３】
画像読取装置が同一の原稿を読み取る場合でも、光検出器によって検出される光量は読み取り動作ごとに変動することがある。例えば、光検出器によって検出される光量は、周囲の状況、あるいは、光源、光学系および／または光検出器の変動に応じて変動する。このため、画像読取装置は、一般に、予め設定された光量の光で白基準板を読み取った結果を利用したシェーディング補正を行い、光量の変動に起因する読み取り結果の変動を抑制している。
【０００４】
画像読取装置の中には、モノクロ画像だけでなくカラー画像を読み取ることができるものがある。画像読取装置が、赤色光源、緑色光源および青色光源を有している場合、光検出器は、赤色光源、緑色光源および青色光源から出射された赤色光、緑色光および青色光をそれぞれ検出することにより、モノクロ画像だけでなくカラー画像を読み取ることができる。
【０００５】
例えば、光検出器としてモノクロセンサを用いる場合、カラーモードでは、赤色光源、緑色光源および青色光源は異なる時刻に点灯される。一方、モノクロモードでは、赤色光源、緑色光源および青色光源を同時刻に点灯することにより、読取時間を短縮させることができる。この場合、光検出器のダイナミックレンジを増大できるように、赤色光源、緑色光源および青色光源から出射される赤色光、緑色光および青色光の光量は、カラー画像を読み取るカラーモードおよびモノクロ画像を読み取るモノクロモードのそれぞれ別々に設定される（例えば、特許文献１参照）。
【０００６】
特許文献１には、カラー画像読取時に設定された赤色光、緑色光および青色光の光量を利用して、モノクロ画像読取時の赤色光、緑色光および青色光の光量を設定する画像読取装置が記載されている。特許文献１の画像読取装置では、経時光量劣化による影響を抑制するために、モノクロ画像読取時に、赤色光源、緑色光源および青色光源の電流量を同じ割合で増加させており、赤色光、緑色光および青色光の光量を増加させている。
【先行技術文献】
【特許文献】
【０００７】
【特許文献１】特開２００２‐２３７９２２号公報
【発明の概要】
【発明が解決しようとする課題】
【０００８】
しかしながら、特許文献１の画像読取装置のように、赤色光源、緑色光源および青色光源の電流量を同じ割合で増加させても、モノクロモードにおける赤色光源、緑色光源および青色光源の光量を高い精度で設定することはできなかった。
【０００９】
本発明は上記課題を鑑みてなされたものであり、その目的は、モノクロモードで読み取りを行う際の光源から出射される光量を簡便かつ高精度に設定可能な画像読取装置、画像形成装置および画像読取方法を提供することにある。
【課題を解決するための手段】
【００１０】
本発明に係る画像読取装置は、カラーモードおよびモノクロモードを切り換えて読み取りを行う。前記画像読取装置は、赤色光源と、緑色光源と、青色光源と、白基準板と、光量調整部と、光検出部と、信号処理部とを備える。前記赤色光源は、赤色光を出射する。前記緑色光源は、緑色光を出射する。前記青色光源は、青色光を出射する。前記光量調整部は、前記赤色光源、前記緑色光源および前記青色光源からそれぞれ出射される前記赤色光、前記緑色光および前記青色光の光量を調整する。前記光検出部は、前記赤色光源、前記緑色光源および前記青色光源のそれぞれから出射された前記赤色光、前記緑色光および前記青色光を検出する。前記光量調整部は、前記カラーモードで読み取りを行う際の前記赤色光源、前記緑色光源および前記青色光源の点灯期間と、前記カラーモードで読み取りを行う際の前記赤色光源、前記緑色光源および前記青色光源のそれぞれの前記点灯期間で前記白基準板を照射した際の前記光検出部の検出結果とに基づいて、前記モノクロモードで前記読み取りを行う際の前記赤色光源、前記緑色光源および前記青色光源の点灯期間を設定する。
【００１１】
本発明に係る画像形成装置は、上記に記載の画像読取装置と、画像形成部とを備える。前記画像形成部は、前記画像読取装置の読み取り結果に基づいて画像を形成する。
【００１２】
本発明に係る画像読取方法は、カラーモードおよびモノクロモードを切り換えて読み取りを行う。前記画像読取方法は、赤色光源、緑色光源および青色光源が、それぞれ異なる時刻に、赤色光、緑色光および青色光で白基準板を照射することによって、カラーモードで読み取りを行う際の前記赤色光源、前記緑色光源および前記青色光源の点灯期間を決定する工程と、前記カラーモードで読み取りを行う際に決定された前記赤色光源、前記緑色光源および前記青色光源の点灯期間と、前記カラーモードで読み取りを行う際の前記赤色光源、前記緑色光源および前記青色光源のそれぞれの前記点灯期間で前記白基準板を照射した際の光検出部の検出結果とに基づいて、前記モノクロモードで読み取りを行う際の前記赤色光源、前記緑色光源および前記青色光源の点灯期間を設定する工程とを包含する。
【発明の効果】
【００１３】
本発明に係る画像読取装置は、モノクロモードで読み取りを行う際の光源から出射される光量を簡便かつ高精度に設定可能である。
【図面の簡単な説明】
【００１４】
【図１】本発明の実施形態に係る画像読取装置を示す模式図である。
【図２】本発明の実施形態に係る画像読取装置を示す模式的なブロック図である。
【図３】本発明の実施形態に係る画像読取装置１０の画像読取方法を示すフローチャートである。
【図４】ＰＷＭ設定値とピーク値との関係を示すグラフである。
【図５】本発明の実施形態に係る画像読取装置における、カラーモードのパルス信号のタイミングチャートである。
【図６】本発明の実施形態に係る画像読取装置における、モノクロモードのパルス信号のタイミングチャートである。
【図７】本発明の実施形態に係る画像読取装置における、モノクロモードのパルス信号のタイミングチャートである。
【図８】本発明の実施形態に係る画像読取装置の画像読取方法を示すフローチャートである。
【図９】本発明の実施形態に係る画像形成装置を示す模式図である。
【発明を実施するための形態】
【００１５】
以下、図面を参照して本発明に係る画像読取装置、画像形成装置および画像読取方法の実施形態を説明する。ただし、本発明は以下の実施形態に限定されない。
【００１６】
図１および図２を参照して本発明に係る画像読取装置１０の実施形態を説明する。図１は、本発明の実施形態に係る画像読取装置１０を示す模式図である。図２は、本発明の実施形態に係る画像読取装置１０を示す模式的なブロック図である。
【００１７】
画像読取装置１０は、光源２１（赤色光源２１ｒ、緑色光源２１ｇおよび青色光源２１ｂ）、光検出部２７、信号処理部３１、光量調整部４０および白基準板５０を備える。信号処理部３１と光量調整部４０とは、制御基板３０に搭載されている。典型的には、画像読取装置１０は、原稿台１１をさらに備える。画像読取装置１０は、原稿台１１の上に載置された原稿Ｍを読み取って入力画像を得る。本実施形態において画像読取装置１０は、スキャナであり、原稿Ｍは、紙である。画像読取装置１０は、カラーモードおよびモノクロモードを切り換えて原稿Ｍの読み取りを行う。
【００１８】
光源２１と光学系２６と光検出部２７とは、原稿台１１の下方に設けられている。赤色光源２１ｒは赤色光を出射し、緑色光源２１ｇは緑色光を出射し、青色光源２１ｂは青色光を出射する。光学系２６は、複数の反射ミラー（反射ミラー２４ａ、反射ミラー２４ｂおよび反射ミラー２４ｃ）とレンズ２５とを有している。光源２１と反射ミラー２４ａとは、第１キャリッジ２３ａに取り付けられている。第１キャリッジ２３ａには、スリット２２が設けられている。反射ミラー２４ｂと反射ミラー２４ｃとは、第２キャリッジ２３ｂに取り付けられている。
【００１９】
光源２１から出射された光は、光学系２６を経て光検出部２７に到達する。以下、光源２１から出射された光が光検出部２７に到達する過程を説明する。主走査方向に延びた光源２１は、原稿台１１を下方から照射する。なお、ここでは主走査方向は図１の奥行方向（図示せず）であり、副走査方向はＹ方向である。光源２１から出射された光は、原稿Ｍで反射して、スリット２２を通り反射ミラー２４ａに到達する。反射ミラー２４ａに到達した光は反射ミラー２４ａで反射し、反射ミラー２４ｂおよび反射ミラー２４ｃによって導かれ、レンズ２５を通り光検出部２７に到達する。
【００２０】
画像読取装置１０が、原稿Ｍを読み取る場合は、第１キャリッジ２３ａは、発光している光源２１と共に副走査方向Ｙに移動する。第２キャリッジ２３ｂは、光源２１から光検出部２７までの光路長が一定になるように移動する。
【００２１】
光検出部２７は、ＣＣＤ（Ｃｈａｒａｇｅ  Ｃｏｕｐｌｅｄ  Ｄｅｖｉｃｅ）センサである。本実施形態において光検出部２７は、モノクロセンサである。光検出部２７は、光検出部２７に到達した光を光電変換してアナログ電気信号を生成する。
【００２２】
信号処理部３１は、光検出部２７によって生成された光検出信号に対して信号処理を行う。信号処理部３１は、アナログフロントエンド（ＡＦＥ）３２と画像処理部３３とを有する。アナログフロントエンド（ＡＦＥ）３２は、アナログ信号をデジタル信号に変換し、デジタル信号を画像処理部３３に出力する。
【００２３】
白基準板５０は、主走査方向に延びている。画像読取装置１０は、白基準板５０を読み取ることにより白基準データを取得する。
【００２４】
画像処理部３３は、白基準データを基にしたシェーディング補正を行う。なお、シェーディング補正は、光源２１の光量が不均一であること、または光検出部２７の感度が不均一であることなどに起因する読取画像の劣化を防止するために、原稿Ｍを読み取った結果に対して行われる。さらに、シェーディング補正は、光源２１、光学系２６および／または光検出部２７の経年劣化が不均一であることに起因する、読取画像の劣化を防止するために、原稿Ｍを読み取った結果に対して行われる。
【００２５】
さらに、シェーディング補正は、白基準データと黒基準データに基づいて行われることが好ましい。画像読取装置１０は、赤色光源２１ｒ、緑色光源２１ｇおよび青色光源２１ｂを消灯して黒基準データを取得する。あるいは、画像読取装置１０が、黒基準板をさらに備える構成である場合、画像読取装置１０は、赤色光源２１ｒ、緑色光源２１ｇおよび青色光源２１ｂから出射された赤色光、緑色光および青色光でそれぞれ黒基準板を照射することによって黒基準データを取得する。黒基準データは原稿Ｍの読み取り前に取得されてもよい。または、黒基準データは予め定められていてもよい。例えば、工場出荷前などに取得された黒基準データを光量調整部４０が保持していてもよい。
【００２６】
赤色光源２１ｒ、緑色光源２１ｇおよび青色光源２１ｂの点灯期間は、ＰＷＭ（Ｐｕｌｓｅ Ｗｉｄｔｈ Ｍｏｄｕｌａｔｉｏｎ）制御により制御される。赤色光源２１ｒ、緑色光源２１ｇおよび青色光源２１ｂは、例えばパルス信号（ＰＷＭ信号）がＨｉｇｈの期間にそれぞれ赤色光、緑色光および青色光をそれぞれ出射する。なお、本明細書の以下の説明において、パルス信号がＨｉｇｈの期間をパルス幅と記載することがある。赤色光源２１ｒ、緑色光源２１ｇおよび青色光源２１ｂの光量は、パルス信号がＨｉｇｈの期間すなわち光源の点灯期間に比例する。
【００２７】
原稿Ｍを読み取る際に、赤色光源２１ｒ、緑色光源２１ｇおよび青色光源２１ｂの光量が適切に調整されることが好ましい。画像読取装置１０は、白基準データを目標値に近づけるように、パルス幅を調整して赤色光源２１ｒ、緑色光源２１ｇおよび青色光源２１ｂの光量を適切に調整している。画像読取装置１０は、調整されたパルス幅で赤色光源２１ｒ、緑色光源２１ｇおよび青色光源２１ｂを点灯することによって、原稿Ｍと適切に読み取ることができる。
【００２８】
光検出部２７が生成した光検出信号は、アナログフロントエンド３２に出力され、アナログフロントエンド３２において光検出信号はアナログ信号からデジタル信号に変換される。そしてデジタル信号は画像処理部３３と光量調整部４０とに入力される。
【００２９】
光量調整部４０は、赤色光源２１ｒ、緑色光源２１ｇおよび青色光源２１ｂのそれぞれから出射される赤色光、緑色光および青色光の光量を調整する。具体的には、光量調整部４０は、赤色光源２１ｒ、緑色光源２１ｇおよび青色光源２１ｂのそれぞれのパルス幅を調整することにより、赤色光源２１ｒ、緑色光源２１ｇおよび青色光源２１ｂのそれぞれから出射される赤色光、緑色光および青色光の光量を調整する。光量調整部４０は、赤色光源２１ｒ、緑色光源２１ｇおよび青色光源２１ｂのそれぞれにパルス信号を出力する。
【００３０】
画像読取装置１０においてカラーモードで読取を行う場合、信号処理部３１が生成した主走査信号に基づき、赤色光源２１ｒ、緑色光源２１ｇおよび青色光源２１ｂを時刻ごとに切り換えて光を出射する。赤色光源２１ｒ、緑色光源２１ｇおよび青色光源２１ｂの点灯時刻は異なる。主走査信号は一定のタイミングでＨｉｇｈとなり、１ラインのデータを読み取る際に、３回Ｈｉｇｈとなる。
【００３１】
赤色光源２１ｒ、緑色光源２１ｇおよび青色光源２１ｂの点灯期間は、赤色光源２１ｒ、緑色光源２１ｇおよび青色光源２１ｂのそれぞれに入力されるパルス幅に相当する。パルス幅は任意に設定することが可能である。赤色光源２１ｒ、緑色光源２１ｇおよび青色光源２１ｂの点灯可能期間は、主走査信号の間隔の間にあり、前後の赤色光源２１ｒ、緑色光源２１ｇおよび青色光源２１ｂの点灯の信号ノイズの影響を受けないように、主走査信号の間隔よりも短い。
【００３２】
原稿Ｍの読み取りを行う場合、原稿Ｍの読み取りに必要な光量が得られるように、光量調整部４０は、パルス幅を調整し、換言すればデューティ比を調整し、光源２１の点灯期間を調整する。光量調整部４０は、白基準板５０を読み取ることにより取得した白基準データが最適な値となるようにパルス幅を調整する。光検出部２７の検出結果のダイナミックレンジ（最小値と最大値の比）ができるだけ大きくなるように、パルス幅が調整されることが好ましい。
【００３３】
また、輝度が高く、ホワイトバランスの取れた白色光を作るためには、赤色光、緑色光、青色光の光量比はおよそ３：６：１に調整されるのが好ましい。本実施形態では、カラーモードにおいて、大きなダイナミックレンジが得られることを優先し、赤色光、緑色光、青色光の光量比の調整は、光検出部２７が光検出信号を生成した後に、信号処理部３１の信号処理で行われる。
【００３４】
一方、画像読取装置１０においてモノクロモードで読取を行う場合、一態様として、赤色光源２１ｒ、緑色光源２１ｇおよび青色光源２１ｂの出射は同時刻に開始する。
【００３５】
画像読取装置１０は、カラーモード時の赤色光源２１ｒ、緑色光源２１ｇおよび青色光源２１ｂのパルス幅、および、カラーモードの白基準データに基づいて、モノクロモードにおける赤色光源２１ｒ、緑色光源２１ｇおよび青色光源２１ｂのパルス幅、すなわち、赤色光源２１ｒ、緑色光源２１ｇおよび青色光源２１ｂの点灯時間を設定する。ホワイトバランスの取れた白色光を作るために、光量調整部４０は、カラーモードのパルス幅に各色の比率（赤色光、緑色光、青色光の比率３：６：１）を掛けてモノクロモードのパルス幅を算出する。
【００３６】
以下に、図１〜図３を参照して本発明による画像読取装置１０の実施形態における画像読取方法を説明する。図３は、本発明の実施形態に係る画像読取装置１０の画像読取方法を示すフローチャートである。
【００３７】
Ｓ１００：カラーモードで光量調整（ＰＷＭ調整）を行う。具体的にはカラーモードにおいて、光量調整部４０は、光量調整を行う。光量調整部４０は、赤色光源２１ｒ、緑色光源２１ｇおよび青色光源２１ｂのそれぞれに対してパルス幅を調整する。光量調整部４０は、赤色光源２１ｒ、緑色光源２１ｇおよび青色光源２１ｂが白基準板５０を照射した際の白基準データが目標値に近づくように、パルス幅を調整する。本実施形態において、目標値は、例えば２５６階調（０〜２５５）における２４０である。目標値が２５５よりも低いのは、原稿Ｍが白基準板５０よりも白くても対応可能なように（白色側の階調が飽和して、画像が白飛びしないように）設定されているからである。光量調整部４０は、二分探索法でパルス幅を調整する。
【００３８】
Ｓ１０２：モノクロモードにおける設定値（ＰＷＭ設定値）を算出する。具体的には光量調整部４０は、ステップＳ１００で調整したパルス幅と白基準データとに基づいてモノクロモードのパルス幅を算出する。以下にモノクロモードのパルス幅の算出方法を説明する。
【００３９】
カラーモードで調整したパルス幅は、赤色光、緑色光、青色光の比率がおおよそ、３：６：１となっていないため、カラーモードで調整したパルス幅に各色の比率を掛ける。演算式を以下の式１−１〜式１−３に示す。
【００４０】
ＰＲｍ＝ＰＲｃ×比率Ｒ／（比率Ｒ＋比率Ｇ＋比率Ｂ）（式１−１）
ＰＧｍ＝ＰＧｃ×比率Ｇ／（比率Ｒ＋比率Ｇ＋比率Ｂ）（式１−２）
ＰＢｍ＝ＰＢｃ×比率Ｂ／（比率Ｒ＋比率Ｇ＋比率Ｂ）（式１−３）
【００４１】
ＰＲｍは、モノクロモード時の赤色光源２１ｒのパルス幅であり、ＰＧｍは、モノクロモード時の緑色光源２１ｇのパルス幅であり、ＰＢｍは、モノクロモード時の青色光源２１ｂのパルス幅である。ＰＲｃは、カラーモード時の赤色光源２１ｒのパルス幅であり、ＰＧｃは、カラーモード時の緑色光源２１ｇのパルス幅であり、ＰＢｃは、カラーモード時の青色光源２１ｂのパルス幅である。比率Ｒ、比率Ｇおよび比率Ｂは、ホワイトバランスの取れた白色光を作るための比率であり、比率Ｒが３、比率Ｒが６、比率Ｂが１である。
【００４２】
光量調整部４０は、式１−１〜式１−３の演算をして、モノクロモード時のパルス幅を算出する。このように、モノクロモード時のパルス幅は、比率Ｒ、比率Ｇおよび比率Ｂを加味して調整される。
【００４３】
しかしながら、カラーモードのパルス幅調整で光量が目標値に対して不足していた場合、モノクロモードの正確なパルス幅が算出できない。さらに、オフセット値がある場合にも、モノクロモードの正確なパルス幅が算出できない。以下、図４を参照してカラーモードのパルス幅調整で光量が目標値に対して不足していた場合、あるいは、オフセット値がある場合について説明する。
【００４４】
図４は、ＰＷＭ設定値とピーク値との関係を示すグラフである。横軸はＰＷＭ設定値（点灯時間）を示し、縦軸は、光量のピーク値を示す。ピーク値は、白基準板５０を読み取った際の、主走査方向に並んだ領域の白基準データの最大値である。ＰＫｔは、目標値である。Ｌ１はカラーモードにおいて白基準データが目標値に対してずれがなく、かつ、オフセットが無い場合のＰＷＭ設定値とピーク値との関係を示す。Ｌ２はカラーモードにおいてパルス幅調整で調整した後でも光量が目標値に対して不足しており、かつ、オフセットがある場合のＰＷＭ設定値とピーク値との関係を示す。ＰＷＭの設定値は、光源２１の点灯可能期間の制限でＰＧｃ１が上限値である。図４においてＰＷＭ設定の上限は２０００である。
【００４５】
Ｌ１の場合、ＰＧｃ１においてピーク値は目標値ＰＫｔに達しており、光量調整部４０は、式１−１〜式１−３の演算をして、モノクロモードのパルス幅を算出することができる。Ｌ１は、ＰＷＭ設定値と光量のピーク値との理想的な関係を示している。
【００４６】
一方、実際には、ＰＧｃ１においてピーク値は目標値ＰＫｔに達していないことがある。さらにＰＷＭ設定値が０でもピーク量は０にならずにオフセットＰＫｏを示すことがある。このため、光量調整部４０が、ピーク値ＰＫａしか達していないＰＧｃ１を用いて式１−１〜式１−３の演算をしても、正しいＰＷＭ設定値が得られない。
【００４７】
そこで、Ｌ２においてピーク値が目標値ＰＫｔに達するであろうＰＷＭ設定値ＰＧｃ２を算出する。例えば、目標値ＰＫｔが２４０、オフセットＰＫｏが２５、ＰＫａが１９０である場合、ＰＧｃ２は以下のように求められる。（目標値ＰＫｔ−オフセットＰＫｏ）×ＰＧｃ１／（ピーク値ＰＫａ−オフセットＰＫｏ）＝（２４０−２５）×２０００／（１９０−２５）≒２４５７。そしてＰＧｃ２に色の比率を掛けて、モノクロモードのＰＷＭ設定値を求める。以上のように光量調整部４０は、白基準データのピーク値とオフセット値を加味した演算式でパルス幅を算出する。演算式を以下の式２−１〜式２−３に示す。
【００４８】
ＰＲｍ＝｛（目標値−Ｒオフセット値）×ＰＲｃ／（Ｒピーク値−Ｒオフセット値）｝×比率Ｒ／（比率Ｒ＋比率Ｇ＋比率Ｂ）（式２−１）
ＰＧｍ＝｛（目標値−Ｇオフセット値）×ＰＧｃ／（Ｇピーク値−Ｇオフセット値）｝×比率Ｇ／（比率Ｒ＋比率Ｇ＋比率Ｂ）（式２−２）
ＰＢｍ＝｛（目標値−Ｂオフセット値）×ＰＢｃ／（Ｂピーク値−Ｂオフセット値）｝×比率Ｂ／（比率Ｒ＋比率Ｇ＋比率Ｂ）（式２−３）
【００４９】
目標値は、光量の目標値である。Ｒオフセット値は、赤色光源２１ｒのオフセット値であり、Ｇオフセット値は、緑色光源２１ｇのオフセット値であり、Ｂオフセット値は、青色光源２１ｂのオフセット値である。オフセット値は、黒基準データの予定値に設定される。式１−１〜式１−３と共通の記号については説明を省略する。
【００５０】
光量調整部４０は、式２−１〜式２−３の演算をして、モノクロモード時のパルス幅を算出する。このように、モノクロモード時のパルス幅は、比率Ｒ、比率Ｇおよび比率Ｂを考慮して調整される。カラーモードのパルス幅調整で光量が目標値に対して不足していた場合、モノクロモードのパルス幅を高精度に算出できる。さらに、オフセット値がある場合でも、モノクロモードのパルス幅を高精度に算出できる。
【００５１】
以上、図１から図４を参照して説明したように、画像読取装置１０において、  光量調整部４０は、白基準板５０を用いて決定されたカラーモードで読み取りを行う際の赤色光源２１ｒ、緑色光源２１ｇおよび青色光源２１ｂの点灯期間（パルス幅）と、赤色光源２１ｒ、緑色光源２１ｇおよび青色光源２１ｂがカラーモードの点灯期間で白基準板５０を照射した際の光検出部２７の光検出信号を信号処理部３１において信号処理した結果（ピーク値）とに基づいて、モノクロモードで読み取りを行う際の赤色光源２１ｒ、緑色光源２１ｇおよび青色光源２１ｂの点灯期間（パルス幅）を設定する。したがって、カラーモードのＰＷＭ調整で光量が目標値に対して不足していた場合でも、精度の高い設定値を演算で求めることができる。
【００５２】
また、式２−１〜式２−３のオフセット値は黒基準の予定値であったが、実測した黒基準のピーク値データに置き換えてもよい。演算式を以下に示す。
【００５３】
ＰＲｍ＝｛（目標値−Ｒ黒基準ピーク値ｍａｘ）×ＰＲｃ／（Ｒピーク値−Ｒ黒基準ピーク値ｍａｘ）｝×比率Ｒ／（比率Ｒ＋比率Ｇ＋比率Ｂ）（式３−１）
ＰＧｍ＝｛（目標値−Ｇ黒基準ピーク値ｍａｘ）×ＰＧｃ／（Ｇピーク値−Ｇ黒基準ピーク値ｍａｘ）｝×比率Ｇ／（比率Ｒ＋比率Ｇ＋比率Ｂ）（式３−２）
ＰＢｍ＝｛（目標値−Ｂ黒基準ピーク値ｍａｘ）×ＰＢｃ／（Ｂピーク値−Ｂ黒基準ピーク値ｍａｘ）｝×比率Ｂ／（比率Ｒ＋比率Ｇ＋比率Ｂ）（式３−３）
【００５４】
Ｒ黒基準ピーク値ｍａｘ、Ｇ黒基準ピーク値ｍａｘおよびＢ黒基準ピーク値ｍａｘは、黒基準データの実測データである。黒基準データは、赤色光源２１ｒ、緑色光源２１ｇおよび青色光源２１ｂから出射された赤色光、緑色光および青色光で、画像読取装置１０がさらに備える黒基準板を照射することにより取得する。あるいは、黒基準板を使わずに、赤色光源２１ｒ、緑色光源２１ｇおよび青色光源２１ｂを消灯する、すなわち真っ暗にした状態で、黒基準データを取得する。
【００５５】
光量調整部４０は、式３−１〜式３−３の演算式によって、パルス幅を算出する。オフセット値に黒基準データの実測値を用いることにより、より精度の高い設定値を演算で求めることができる。
【００５６】
図５を参照して、本発明の実施形態に係る画像読取装置１０における、カラーモードのパルス信号のタイミングチャートを説明する。図５は、本発明の実施形態に係る画像読取装置１０における、カラーモードのパルス信号のタイミングチャートである。
【００５７】
図５に示すタイミングチャートは、カラーモードにおいて、白基準データを用いて、パルス幅が調整されたタイミングチャートである。主走査信号は、一定のタイミングでＨｉｇｈとなり、１ラインのデータを読み取る際に、３回Ｈｉｇｈとなる。主走査信号がＨｉｇｈとなる期間の直前かつ直後は、光源２１の点灯禁止期間である。Ｔｌｅｄは、光源２１の点灯可能期間である。Ｔｌｅｄは、主走査信号がＨｉｇｈとなる期間にあり、直前または直後に点灯する光源２１の影響を受けないように、主走査期間の間隔よりも短い。
【００５８】
ＰＷＭ（Ｒｅｄ）は、赤色光源２１ｒのパルス信号であり、ＰＷＭ（Ｇｒｅｅｎ）は、緑色光源２１ｇのパルス信号であり、ＰＷＭ（Ｂｌｕｅ）は、青色光源２１ｂのパルス信号である。パルス信号がＨｉｇｈの期間に光源２１（赤色光源２１ｒ、緑色光源２１ｇおよび青色光源２１ｂ）から光（赤色光、緑色光および青色光）が出射される。
【００５９】
ＰＲｃは、カラーモードにおける赤色光源２１ｒのパルス信号ＰＷＭ（Ｒｅｄ）のパルス幅である。ＰＧｃは、カラーモードにおける緑色光源２１ｇのパルス信号ＰＷＭ（Ｇｒｅｅｎ）のパルス幅である。ＰＢｃは、カラーモードにおける青色光源２１ｂのパルス信号ＰＷＭ（Ｂｌｕｅ）のパルス幅である。パルス幅ＰＲｃ、パルス幅ＰＧｃおよびパルス幅ＰＢｃは、光量調整部４０によって調整される。
【００６０】
パルス幅ＰＲｃおよびパルス幅ＰＢｃは、光量のピーク値が目標値に達するように調整されている。一方、パルス幅ＰＧｃは、点灯可能期間Ｔｌｅｄの期間内で光量のピーク値が目標値に達しなかったので、パルス幅ＰＧｃは、点灯可能期間Ｔｌｅｄの開始から終了までの期間になっている。
【００６１】
続いて、図６を参照して、本発明の実施形態に係る画像読取装置１０における、モノクロモードのパルス信号のタイミングチャートを説明する。図６は、本発明の実施形態に係る画像読取装置１０における、モノクロモードのパルス信号のタイミングチャートである。図５に示されたタイミングチャートを参照して上述した内容と重複する内容については詳細な説明を省略する。なお、モノクロモードにおける主走査信号の間隔はカラーモードにおける主走査信号の間隔と等しい。
【００６２】
ＰＲｍは、モノクロモードにおける赤色光源２１ｒのパルス信号ＰＷＭ（Ｒｅｄ）のパルス幅である。ＰＧｍは、モノクロモードにおける緑色光源２１ｇのパルス信号ＰＷＭ（Ｇｒｅｅｎ）のパルス幅である。ＰＢｍは、モノクロモードにおける青色光源２１ｂのパルス信号ＰＷＭ（Ｂｌｕｅ）のパルス幅である。パルス幅ＰＲｃ、パルス幅ＰＧｃおよびパルス幅ＰＢｃは、光量調整部４０によって調整される。
【００６３】
モノクロモードのパルス幅ＰＲｍ、パルス幅ＰＧｍおよびパルス幅ＰＢｍは、カラーモードのパルス幅ＰＲｃ、パルス幅ＰＧｃおよびパルス幅ＰＢｃと、カラーモードの白基準データとに基づいて、光量調整部４０によって算出される。
【００６４】
画像読取装置１０において、モノクロモードの際、回路構成によっては大電流が流れることがある。この場合、図６に示されたタイミングチャートのように、赤色光源２１ｒ、緑色光源２１ｇおよび青色光源２１ｂを同時に点灯できないために、図７に示すように赤色光源２１ｒ、緑色光源２１ｇおよび青色光源２１ｂを異なる時刻に点灯させる。なお、主走査信号がＬｏｗとなる期間に光検出部２７によって正確に検出可能な光量は一定の限界値を有している。
【００６５】
図７を参照して、赤色光源２１ｒ、緑色光源２１ｇおよび青色光源２１ｂを同時に点灯できない場合のタイミングチャートを説明する。図７は、本発明の実施形態に係る画像読取装置１０における、モノクロモードのパルス信号のタイミングチャートである。図５および図６に示されたタイミングチャートを参照して上述した内容と重複する内容については詳細な説明を省略する。
【００６６】
主走査信号がＬｏｗとなる期間で、赤色光源２１ｒのパルス信号ＰＷＭ（Ｒｅｄ）、緑色光源２１ｇのパルス信号ＰＷＭ（Ｇｒｅｅｎ）、青色光源２１ｂのパルス信号ＰＷＭ（Ｂｌｕｅ）の順にＨｉｇｈになるように、赤色光源２１ｒ、緑色光源２１ｇおよび青色光源２１ｂは順次点灯する。赤色光源２１ｒのパルス信号ＰＷＭ（Ｒｅｄ）と緑色光源２１ｇのパルス信号ＰＷＭ（Ｇｒｅｅｎ）との間にはｗａｉｔ時間Ｗ１が挿入されており、緑色光源２１ｇのパルス信号ＰＷＭ（Ｇｒｅｅｎ）と青色光源２１ｂのパルス信号ＰＷＭ（Ｂｌｕｅ）との間にはｗａｉｔ時間Ｗ２が挿入されている。ｗａｉｔ時間は前後の光源２１の点灯による信号ノイズの影響を低減するために挿入される。
【００６７】
赤色光源２１ｒのパルス信号ＰＷＭ（Ｒｅｄ）の立ち上がりから青色光源２１ｂのパルス信号ＰＷＭ（Ｂｌｕｅ）の立下りまでの期間が、点灯可能期間Ｔｌｅｄより長くなる場合、すなわち、ＰＲｍ＋ＰＧｍ＋ＰＢｍ＋Ｗ１＋Ｗ２＞Ｔｌｅｄの場合は、光量調整部４０は、以下の式４−１〜式４−３の演算式でモノクロモードのパルス幅ＰＲｍ、パルス幅ＰＧｍおよびパルス幅ＰＢｍを再算出する。
【００６８】
ＰＲｍｓ＝ＰＲｍ×（Ｔｌｅｄ−Ｗ１−Ｗ２）／（ＰＲｍ＋ＰＧｍ＋ＰＢｍ）（式４−１）
ＰＧｍｓ＝ＰＧｍ×（Ｔｌｅｄ−Ｗ１−Ｗ２）／（ＰＲｍ＋ＰＧｍ＋ＰＢｍ）（式４−２）
ＰＢｍｓ＝ＰＢｍ×（Ｔｌｅｄ−Ｗ１−Ｗ２）／（ＰＲｍ＋ＰＧｍ＋ＰＢｍ）（式４−３）
【００６９】
光量調整部４０が、式４−１〜式４−３の演算をすることにより、パルス幅ＰＲｍ、パルス幅ＰＧｍおよびパルス幅ＰＢｍが同一の割合で短くなり、赤色光源２１ｒのパルス信号ＰＷＭ（Ｒｅｄ）の立ち上がりから青色光源２１ｂのパルス信号ＰＷＭ（Ｂｌｕｅ）の立ち下がりまでの期間が、点灯可能期間Ｔｌｅｄ内におさまるようになる。
【００７０】
以上、図７を参照して説明したように、モノクロモードにおいて、光量調整部４０は、赤色光源２１ｒ、緑色光源２１ｇおよび青色光源２１ｂの設定された点灯期間（ＰＲｍ、ＰＧｍおよびＰＢｍ）、および、赤色光源２１ｒ、緑色光源２１ｇおよび青色光源２１ｂの点灯待機期間（Ｗ１およびＷ２）に基づいて、赤色光源２１ｒ、緑色光源２１ｇおよび青色光源２１ｂの点灯期間（ＰＲｍｓ、ＰＧｍｓおよびＰＢｍｓ）を再設定する。したがって、点灯可能期間内に赤色光源２１ｒ、緑色光源２１ｇおよび青色光源２１ｂを点灯させることができる。
【００７１】
続いて、図８を参照して、本発明の実施形態に係る画像読取装置１０による、画像読取方法を説明する。図８は、本発明の実施形態に係る画像読取装置１０による画像読取方法を示すフローチャートである。本実施形態の画像読取方法では、図８に示すように、ステップＳ２００〜ステップＳ２２２を行うことによってパルス幅を設定する。その後、カラーモードまたはモノクロモードで原稿Ｍを読み取る際、設定されたパルス幅に基づいて光源２１を点灯させる。
【００７２】
ステップ２０４〜ステップ２１８において、二分探索法によりカラーモードで読み取りを行う際の赤色光源２１ｒ、緑色光源２１ｇおよび青色光源２１ｂの点灯期間（パルス幅）を設定する。二分探索法の最大探索数は１０回である。
【００７３】
ステップＳ２２０において、カラーモードで読み取りを行う際に決定された赤色光源２１ｒ、緑色光源２１ｇおよび青色光源２１ｂの点灯期間（パルス幅）と、赤色光源２１ｒ、緑色光源２１ｇおよび青色光源２１ｂがカラーモードの点灯期間（パルス幅）で白基準板５０を照射した際の光検出部２７の光検出信号を信号処理部３１において信号処理した結果（ピーク値）とに基づいて、モノクロモードで読み取りを行う際の赤色光源２１ｒ、緑色光源２１ｇおよび青色光源２１ｂの点灯期間を設定する。以下、ステップごとに説明する。
【００７４】
ステップＳ２００：二分探索法の回数の初期値（Ｎ＝１）をセットする。
【００７５】
ステップＳ２０２：カラーモードで、赤色光源２１ｒ、緑色光源２１ｇおよび青色光源２１ｂを点灯させる。点灯期間は初期値である。
【００７６】
ステップＳ２０４〜ステップＳ２１８のパルス幅の調整は、各色で別々に行われる。
【００７７】
ステップＳ２０４：白基準板５０を読み取ることにより白基準データのピーク値を検出する。
【００７８】
ステップＳ２０６：ピーク値＞（目標値＋精度）であるか否かを判定する。ピーク値＞（目標値＋精度）である場合（ステップＳ２０６：Ｙｅｓ）、画像読取工程はステップＳ２１０に進む。ピーク値＞（目標値＋精度）でない場合（ステップＳ２０６：Ｎｏ）、画像読取工程はステップＳ２０８に進む。精度は目標値に対する許容誤差として設定される。
【００７９】
ステップＳ２０８：ピーク値＜（目標値−精度）であるか否かを判定する。ピーク値＜（目標値−精度）でない場合（ステップＳ２０８：Ｎｏ）、目標値が精度内におさまっている（（目標値−精度）＜ピーク値＜（目標値＋精度））ので、カラーモードのパルス幅の調整が完了し、画像読取工程はステップＳ２２０に進む。ピーク値＜（目標値−精度）である場合（ステップＳ２０８：Ｙｅｓ）、画像読取工程はステップＳ２１２に進む。
【００８０】
ステップ２１０：ステップ２０６において、ピーク値＞（目標値＋精度）である場合（ステップＳ２０６：Ｙｅｓ）、パルス幅が目標値に対応するパルス幅よりも大きいため、光量のピーク値が目標値よりも大きいことを示している。したがって、光量調整部４０は、ＰＷＭ＝ＰＷＭ−ＶＡＬの演算処理し、パルス幅を小さくする。ＶＡＬとして初期値が設定されている。
【００８１】
ステップ２１２：ステップ２０８において、ピーク値＜（目標値−精度）である場合（ステップＳ２０８：Ｙｅｓ）、パルス幅が目標値に対応するパルス幅よりも小さいため、ピーク値が小さいことを示している。したがって、光量調整部４０は、ＰＷＭ＝ＰＷＭ＋ＶＡＬの演算処理を行い、パルス幅を大きくする。
【００８２】
ステップ２１４：光量調整部４０は、ＶＡＬ＝ＶＡＬ／２およびＮ＝Ｎ＋１の演算処理し、ＶＡＬとＮの値を更新する。
【００８３】
ステップ２１６：光量調整部４０は、Ｎ≦１１であるか否かを判定する。光量調整部４０がＮ≦１１でないと判定した場合（ステップＳ２１６：Ｎｏ）、二分探索法の設定上限回数１０回に達したとして、画像読取工程はステップ２２０に進む。光量調整部４０がＮ≦１１であると判定した場合（ステップＳ２１６：Ｙｅｓ）、画像読取工程はステップ２１８に進む。
【００８４】
ステップＳ２１８：光量調整部４０は、ＰＷＭ＜０であるか否かを判定する。光量調整部４０がＰＷＭ＜０であると判定した場合（ステップＳ２１８：Ｙｅｓ）、光量調整部４０は、エラーと判定する。例えば、ＶＡＬの値がパルス幅の初期値よりも大きく設定されていると、ステップＳ２１０の演算処理でマイナスになることがある。光量調整部４０がＰＷＭ＜０でないと判定した場合（ステップＳ２１８：Ｎｏ）、画像読取工程はＳ２０４へ戻り再び白基準板５０を読み取る。その後、上述したようにピーク値が目標値の精度範囲内でない場合には、ステップ２１０またはステップ２１２で演算処理されたパルス幅で白基準データのピーク値を検出する。
【００８５】
ステップ２０４〜ステップＳ２１８の二分探索法を繰りかえすことによりピーク値が目標値に近づくように、カラーモードにおけるパルス幅が調整される。
【００８６】
ステップＳ２２０：光量調整部４０は、ステップＳ２００〜ステップＳ２１８で得られたカラーモードにおけるパルス幅と、白基準データとに基づいてモノクロモードにおけるパルス幅の演算処理をする。光量調整部４０は、式２−１〜式２−３または式３−１〜式３−３の演算をして、モノクロモードにおけるパルス幅を算出する。
【００８７】
ステップＳ２２２：ステップＳ２０４〜ステップＳ２１８およびステップＳ２２０で算出されたパルス幅設定値を保存する。
【００８８】
その後、設定されたパルス幅に基づいてカラーモードまたはモノクロモードで原稿Ｍの画像を読み取る。
【００８９】
なお、上述した説明では式３−１〜式３−３および式４−１〜式４−３の演算において演算からオフセット値を抜いても構わない。
【００９０】
また、上述した説明では式３−１〜式３−３および式４−１〜式４−３の演算において白基準データのピーク値（Ｒピーク値、Ｇピーク値およびＢピーク値）を用いていたが、白基準データの平均値であってもよい。
【００９１】
また、式４−１〜式４−３の演算において黒基準ピーク値（Ｒ黒基準ピーク値ｍａｘ、Ｇ黒基準ピーク値ｍａｘおよびＢ黒基準ピーク値ｍａｘ）を用いていたが、黒基準データの平均値であってもよい。
【００９２】
また、図２を参照した上述の説明では、信号処理部３１が光検出部２７の光検出信号を信号処理することにより、光量調整部４０に、赤色光源２１ｒ、緑色光源２１ｇおよび青色光源２１ｂからそれぞれ出射される赤色光、緑色光、青色光の点灯期間を設定させたが、本発明はこれに限定されない。光検出部２７の検出結果は、信号処理部３１を介することなく直接、光量調整部４０に入力され、光量調整部４０が赤色光源２１ｒ、緑色光源２１ｇおよび青色光源２１ｂからそれぞれ出射される赤色光、緑色光、青色光の点灯期間を設定してもよい。
【００９３】
図９は、本発明の実施形態に係る画像形成装置１００を示す模式図である。以下、本実施形態において画像形成装置１００は複写機である。画像形成装置１００は、画像読取装置１０と画像形成部６０とを備える。画像形成部６０は、定着装置１１０、給紙カセット１２０、作像部１３０、トナー補給装置１４０、用紙排出部１５０および用紙搬送部１６０を有している。画像形成部６０は、画像読取装置１０の読み取り結果に基づいて画像を形成する。
【００９４】
給紙カセット１２０には、印刷用の用紙Ｐが収容されている。複写を行う際、給紙カセット１２０内の用紙Ｐは、作像部１３０と定着装置１１０とを経由して用紙排出部１５０から排出されるように、用紙搬送部１６０によって搬送される。
【００９５】
作像部１３０では、トナー像を用紙Ｐに形成する。作像部１３０には、感光体１３１と現像装置１３２と転写装置１３３とが含まれている。
【００９６】
感光体１３１には、画像読取装置１０で生成された原稿画像の電子信号に基づいたレーザーによって静電潜像が形成される。現像装置１３２は現像ローラー１２１を有している。現像ローラー１２１は、感光体１３１にトナーを供給して静電潜像を現像させることで、感光体１３１にトナー像を形成する。トナーは、トナー補給装置１４０から現像装置１３２へ補給される。
【００９７】
転写装置１３３は、感光体１３１に形成されたトナー像を用紙Ｐに転写する。
【００９８】
定着装置１１０では、定着部材１１１と加圧部材１１２とによって用紙Ｐを加熱及び加圧することで、作像部１３０において形成された未定着のトナー像を溶融させて用紙Ｐに定着させる。
【００９９】
なお、画像読取装置１０は、光検出部２７が電荷結合素子（ＣＣＤ（Ｃｈａｒａｇｅ  Ｃｏｕｐｌｅｄ  Ｄｅｖｉｃｅ））である構成であったが、光検出部２７にＣＭＯＳイメージセンサーを用いるＣＩＳ（Ｃｏｎｔａｃｔ  Ｉｍａｇｅ  Ｓｅｎｓｏｒ）方式の構成を取り得る。
【０１００】
また、画像読取装置１０が読み取る原稿Ｍは、紙に限定されない。例えば、布や厚みのある立体物でもあり得る。
【０１０１】
また、画像形成装置１００は、複写機に限定されない。複写機、プリンタ、ファクシミリ又はこれらの機能を兼ね備えた複合機であり得る。
【産業上の利用可能性】
【０１０２】
本発明に係る画像読取装置は、カラーモードおよびモノクロモードを切り換えて読み取りを行う画像読取装置に好適に用いられる。
【符号の説明】
【０１０３】
Ｍ          原稿
Ｐ          用紙
Ｙ          副走査方向
１０        画像読取装置
１１        原稿台
２０        画像読取部
２１ｒ      赤色光源
２１ｇ      緑色光源
２１ｂ      青色光源
２３ａ      第１キャリッジ
２３ｂ      第２キャリッジ
２４ａ、２４ｂ、２４ｃ  反射ミラー
２５        レンズ
２６        光学系
２７        光検出部
３０        制御基板
３１        信号処理部
３２        アナログフロントエンド（ＡＦＥ）
３３        画像処理部
４０        光量調整部
５０        白基準板
６０        画像形成部
１００      画像形成装置
１１０      定着装置
１１１      定着部材
１１２      加圧部材
１２０      給紙カセット
１３０      作像部
１３１      感光体
１３２      現像装置
１３３      転写装置
１４０      トナー補給装置
１５０      用紙排出部
１６０      用紙搬送部
【図１】
2014192699.tif 000003
【図２】
2014192699.tif 000004
【図３】
2014192699.tif 000005
【図４】
2014192699.tif 000006
【図５】
2014192699.tif 000007
【図６】
2014192699.tif 000008
【図７】
2014192699.tif 000009
【図８】
2014192699.tif 000010
【図９】
2014192699.tif 000011